(57)【要約】      （修正有）【課題】  電子チケットの受給者は決済後すぐにチケットを受け取ることができるようにする。【解決手段】  第１の携帯端末１１及び第２の携帯端末１２と、チケット譲渡管理システム１３と、通信ネットワーク１４と、を有している。第１の携帯端末１１が電子チケット１５を有している。電子チケット１５は、電子化されて通信によるやり取りできる情報のことであり、例えば１次元又は２次元のバーコードを認識してデジタルデータとして読みとったものも含まれる。尚、バーコードなどのコード化された情報であって何らかの権利を所持している証拠となるものが含まれる。チケット供給者がチケット譲渡管理システムにチケットの譲渡条件を登録する際、同時に実際に譲渡しようとする電子チケットをチケット譲渡管理システムのチケット管理システムに預ける。【選択図】  図１
2006318340.tif 000002
【特許請求の範囲】
【請求項１】
電子チケットの授受を仲介する電子チケット譲渡管理システムと、前記電子チケットの授受に関するやり取りを行う携帯端末とを有する電子チケット譲渡システムであって、
前記電子チケット譲渡管理システムは、
電子チケット供給側携帯端末から送られた前記電子チケットの譲渡条件を登録する電子チケット譲渡情報登録管理部と、
電子チケット供給側携帯端末から送られた前記電子チケットの管理を行う電子チケット管理部と
を有することを特徴とする電子チケット譲渡システム。
【請求項２】
少なくとも、電子チケット受け取り希望者側携帯端末が前記電子チケット譲渡情報登録管理部にアクセス可能になった時から電子チケット供給側携帯端末への引渡しが完了するまでの間は、前記電子チケット管理部が前記電子チケットを格納しておくことを特徴とする請求項１に記載の電子チケット譲渡システム。
【請求項３】
少なくとも、前記電子チケット受け取り希望者側携帯端末により前記電子チケット譲渡情報登録管理部にアクセス可能になった時から前記電子チケット供給側携帯端末が前記電子チケットの譲渡を取りやめる手続きをするまでの間、前記チケット管理部が前記電子チケットを格納しておくことを特徴とする請求項１に記載の電子チケット譲渡システム。
【請求項４】
さらに、前記電子チケットに関する決済を行う決済部を有することを特徴とする請求項１から３までのいずれか１項に記載の電子チケット譲渡システム。
【請求項５】
前記譲渡情報登録管理部は、前記電子チケット受け取り希望者側携帯端末から送られた電子チケットの譲渡条件として、少なくとも、譲渡する電子チケットの情報、譲渡価格、料金振込先、譲渡期限のいずれかを管理することを特徴とする請求項１から４までのいずれか１項に記載の電子チケット譲渡システム。
【請求項６】
電子チケットに関する授受のやり取りを行う携帯端末と接続可能であり、前記電子チケットの授受に関する仲介を行う電子チケット譲渡管理システムであって、
電子チケット供給側携帯端末から送られた前記電子チケットの譲渡条件を登録する電子チケット譲渡情報登録管理部と、
電子チケット供給側携帯端末から送られた前記電子チケットを管理する電子チケット管理部と、を有し、
少なくとも、前記電子チケット受け取り希望者側携帯端末が前記譲渡情報登録管理部にアクセス可能になった時から前記電子チケット供給側携帯端末への引渡しが完了するまでの間は、前記電子チケット管理部が前記電子チケットを格納する管理を行うことを特徴とする電子チケット譲渡管理システム。
【請求項７】
電子チケットの授受を仲介する電子チケット譲渡管理システムと、前記電子チケットの授受に関するやり取りを行う携帯端末とを有する電子チケット譲渡システムであって、
前記電子チケット譲渡管理システムは、
電子チケット供給側携帯端末から送られた前記電子チケットの譲渡条件を登録する電子チケット譲渡情報登録管理部と、
電子チケット供給側携帯端末から送られた前記電子チケットの管理を行う電子チケット管理部と、
携帯端末の位置情報を管理する位置情報管理システムと
を有することを特徴とする電子チケット譲渡システム。
【請求項８】
前記位置情報管理システムは、前記電子チケット譲渡管理システムとネットワーク経由で接続された前記携帯端末の現在の位置情報を取得する位置情報取得部を有することを特徴とする請求項７に記載の電子チケット譲渡システム。
【請求項９】
前記位置情報取得部により取得された電子チケット受け取り希望者側携帯端末の位置情報に基づいて、前記電子チケットに関連するイベントに近接する前記電子チケット受け取り希望者側携帯端末に対して優先的に前記電子チケットに関連する情報を送信することを特徴とする請求項８に記載の電子チケット譲渡システム。
【請求項１０】
携帯端末を利用した電子チケットの授受を仲介する電子チケット譲渡管理システムにおける電子チケットの譲渡方法であって、
電子チケット供給者側携帯端末から提示された前記電子チケットの譲渡条件を登録するステップと、
電子チケット供給者側携帯端末から送られた前記電子チケットを格納しておくステップと、を有し、
少なくとも、前記電子チケット受け取り希望者側携帯端末が前記電子チケット譲渡システムにアクセス可能になった時から引渡しが完了するまでの間は、前記電子チケット譲渡管理システムに前記電子チケットを格納しておくことを特徴とする電子チケットの譲渡方法。
【請求項１１】
携帯端末を利用した電子チケットの授受を仲介する電子チケット譲渡管理システムにおける電子チケットの譲渡方法であって、
電子チケット供給側携帯端末から提示された前記電子チケットの譲渡条件を登録するステップと、
前記電子チケット供給側携帯端末から送られた前記電子チケットを格納しておくステップと、
電子チケット受け取り希望者側携帯端末の現在の位置情報を取得するステップと、
取得された前記位置情報に基づいて、前記電子チケットに関連するイベントに近接する前記電子チケット受け取り希望者側携帯端末に対して優先的に前記電子チケットに関連する情報を送信するステップと
を有することを特徴とする電子チケット譲渡システム。
【請求項１２】
コンピュータに請求項１０又は１１に記載のステップを実行させるためのプログラム。
【発明の詳細な説明】
【技術分野】
【０００１】
本発明は、電子チケット譲渡システムに関し、特に、電子チケット供給者が携帯端末に格納された電子チケットを、他の携帯端末を利用する受給者に譲渡するシステムに関する。
【背景技術】
【０００２】
従来、紙などに印刷された有形のチケットを譲渡する場合に、友人等に直接連絡して譲渡したり、Ｗｅｂ上の掲示板やネットニュースを利用してチケットの供給者や受給者を募ったり、あるいは、金券ショップで引き取ってもらうなどの方法がとられていた。
【０００３】
しかしながら、連絡可能な友人等の人数には限界があるため、チケットを引き取ってもらえる可能性が低い。掲示板やネットニュースを利用すると、チケットの供給者や受給者の数が大幅に増えるが、チケットの受け渡し、料金の受け渡し等に時間を要する。
【０００４】
また、人気の高いスポーツや、コンサートなどでは、当日券を求めて会場に出向いても、売り切れておりチケットを購入できないことが多く、会場周辺でチケットを譲渡してくれる人を探す人をよく見かける。さらに、事前に購入されたチケットは当日券に比べ、優遇されている場合が多く（S席など）、特に開演直前の場合は安価で入手しうる可能性も高いため、需要も高い。このような場合を対象にすれば譲渡できる可能性が高いが、イベントに参加できない譲渡希望者は会場に出向くことができないことが多いため、チケットの譲渡が成立することは少なかった。
【０００５】
特許文献１では、チケットの供給者と受給者との間におけるチケット譲渡を、チケット・トレード業者とチケット仲介業者が仲介するものである。チケット・トレード業者がチケット譲渡の需要と供給とを管理する機能を有し、チケット仲介業者が実際のチケット譲渡、すなわち供給者からのチケット受け取りと、受給者へのチケット発行、受給者からの代金受け取りと供給者への代金支払いを仲介する。仲介業者にチケット発行機能を持たせるため、供給者と受給者が互いに遠所にいる場合でも、迅速なチケット譲渡が可能である。
【０００６】
ただし、供給者がチケット仲介業者にチケットを譲渡した後でなければ、受給者に対して新たなチケットを発行できないこと、チケット仲介業者の窓口に出向く必要があること、などの制限があるため、チケット譲渡の契約成立後にすぐに譲渡を行われるとは限らない。
【０００７】
特許文献２では、チケットのキャンセル待ち登録をした電子チケットの受給希望者に対して、位置情報を利用して開演時間までに会場に到達可能な希望者を抽出して譲渡案内を送信することによって、効率的なチケット譲渡を実現している。
【０００８】
電子チケットの譲渡においては、通信回線を利用して購入や譲渡を行うことが可能であり、遠方の友人・知人に受け渡すことも可能である。個人間で譲渡を行う場合、特に不正使用の防止は必須であるが、例えば、特許文献３では、電子チケットに譲渡条件や所有者IDを付加可能な電子チケットを定義しており、安全な譲渡が可能であり、不正使用を防止することが可能である。
【０００９】
【特許文献１】特開２００３−３４６０１２号公報
【特許文献２】特開２００２−２７９１１３号公報
【特許文献３】特開２０００−１２３０９５号公報
【発明の開示】
【発明が解決しようとする課題】
【００１０】
上記、特許文献３の方法は電子チケットの譲渡の場合にも適用可能であるが、譲渡契約成立後、即座にチケット譲渡が行われるとは限らないため、チケットを使用する当日に譲渡契約が成立した場合など、チケットがすぐに必要な場合に、供給者が譲渡処理を行えず、譲渡ができないことが発生する可能性がある。
【００１１】
また、特にキャンセル待ちなどの手続きを行っていない人に対しても、希望する可能性の高いと推測される希望候補者に対して、何らかの方法で譲渡に関する手続きが行えるようにすると便利である。
【００１２】
本発明は、電子チケットの譲渡契約成立後、迅速に電子チケットの譲渡を可能とする手段を提供することを目的とする。また、特にキャンセル待ちなどの手続きを行っていない人であっても、電子チケットを入手したいという希望も持つ可能性が比較的高い人に対して積極的に案内を送信する方法を提供することを目的とする。
【課題を解決するための手段】
【００１３】
電子チケットを供給する供給者と、電子チケットを必要としている受給者は、チケット譲渡管理システムを介してチケットの譲渡を行う。供給者および受給者はそれぞれチケット譲渡管理システムにアクセス可能な携帯端末を保有しており、供給者の携帯端末の記憶装置には供給する電子チケットが格納されている。
【００１４】
チケット供給者がチケット譲渡管理システムにチケットの譲渡条件を登録する際、同時に実際に譲渡しようとする電子チケットをチケット譲渡管理システムのチケット管理システムに預ける。これにより、受給者が決済処理を完了したら即座にチケット受け渡しが可能である。
【００１５】
また、電子チケットの授受を行う携帯端末は、その位置情報を取得する機能と、それをチケット譲渡管理システムに登録する機能を有する。チケット譲渡管理システムは、取得した位置情報をもとに積極的な情報配信を行う。特にキャンセル待ちなどの手続きを行っていない人でも、イベント会場に参加可能な状態にあるかどうかを判断する手段として携帯端末の位置情報を利用する。これにより、チケットを利用する可能性が高いと推定される人、すなわち会場付近にいる人に対して、チケット譲渡に関する案内を送信することができる。また、効率的なチケット譲渡が可能となる。
【発明の効果】
【００１６】
以上説明したように、本発明によれば、電子チケットの供給者が、譲渡する電子チケットをチケット譲渡管理システムに預けておくことが可能であるため、受給者は、決済後にすぐにチケットを受け取ることができるという利点がある。また、携帯端末の位置情報を利用した譲渡情報提供により、積極的な需要喚起と効率的な譲渡が可能になるという利点がある。
【発明を実施するための最良の形態】
【００１７】
以下、本発明の実施形態による電子チケット譲渡システムについて図面を参照しつつ説明を行う。図１は、本発明の実施の形態による電子チケット譲渡システムの一構成例を示す機能ブロック図である。図１に示すように、本実施の形態による電子チケット譲渡システムは、第１の携帯端末１１及び第２の携帯端末１２と、チケット譲渡管理システム１３と、通信ネットワーク１４と、を有している。ここでは、第１の携帯端末１１が電子チケット１５を有している場合を考える。
【００１８】
第１の携帯端末１１及び第２の携帯端末１２は、通信ネットワーク１４を介してチケット譲渡管理システム１３にアクセスする機能を持つ。例えば、携帯電話やノート型パーソナルコンピュータ（ＰＣ）などの装置であり、電子チケットを格納することができる記憶装置を内部に有するか、外部インターフェイスを介して記憶装置（記憶媒体）を取り付けが可能な装置を指す。
【００１９】
本実施の形態によるチケット譲渡管理システム１３は、チケット供給者側携帯端末（以下、第１の端末と称する。）１１とチケット受け取り希望者側携帯端末（以下、第２の端末と称する。）１２との間で行われる電子チケット１５の譲渡を仲介する装置であり、譲渡情報登録管理システム１３１と、チケット管理システム１３２と、決済システム１３３と、を有している。チケット譲渡管理システム１３は、通信ネットワーク１４に接続されており、第１の携帯端末１１と、第２の携帯端末１２とから、任意の場所・タイミングでアクセスが可能である。通信ネットワーク１４は、第１の携帯端末１１と、第２の携帯端末１２と、チケット譲渡管理システム１３と、の間の通信路であり、有線・無線のＩＰ網などにより構成されている。
【００２０】
電子チケット１５は、例えば、映画の鑑賞チケットや電車の乗車券のような一般的なチケットのほか、商品券、プリペイドカード、クーポン、ポイントカードのポイントなど、電子化しチケットと同様に扱うことできるものであれば特に限定されるものではないが、電子化されて通信によるやり取りできる情報のことである。例えば、実際に何らかのサービスに利用できるものを指す。電子化された情報とは、例えば１次元又は２次元のバーコードを認識してデジタルデータとして読みとったものも含まれるが、バーコードなどのコード化された情報であって何らかの権利を所持している証拠となるものが含まれる。
【００２１】
図２は、本実施の形態による電子チケット譲渡システムを用いて、チケットの譲渡を行う場合の処理の流れを示すフローチャート図である。図１も参照して説明を行う。本実施の形態では、電子チケット１５を供給するのは第１の携帯端末１１を操作する供給者であり、図１に示すとおり、譲渡対象となる電子チケット１５は、第１の携帯端末１１の読み出し及び書き込み可能な記憶装置に格納されているものとする。
【００２２】
まず、処理を開始すると、ステップＳ２１において、電子チケット１５を提供しようとしている提供者は、第１の携帯端末１１からチケット譲渡管理システム１３にアクセスし、チケットの譲渡を希望する旨を譲渡情報登録管理システム１３１に登録する。登録する情報は、譲渡するチケットの種別や内容などの情報と、譲渡希望金額と、料金振込先情報と、譲渡契約の成立期限と、を含む。
【００２３】
ステップＳ２２において、チケット提供者は、第１の携帯端末１１から実際に譲渡対象となる電子チケット１５を、チケット譲渡管理システム１３のチケット管理システム１３２に送信する。送信された電子チケット１５は、チケット管理システム１３２内の記憶装置に格納される。電子チケットを送信した後に、第１の携帯端末１１内の電子チケット１５は、自動的に破棄又は無効化される。
【００２４】
ステップＳ２３において、チケットの譲受を希望する希望者は、第２の携帯端末１２からチケット譲渡管理システム１３にアクセスし、譲渡情報登録管理システム１３１に対して、希望する電子チケットが登録されているか否かを確認する。希望する電子チケット１５が登録されており、かつ、譲渡の条件が提供者と希望者との両者において合致した場合は、チケット譲渡管理システム１３において、チケット譲受予約処理を行う。
【００２５】
チケット提供者は、ステップＳ２３においてチケット譲受予約処理を完了した後、ステップＳ２４において決済システム１３３において電子チケットのやり取りに関連する決済処理を行う。
【００２６】
ステップＳ２５において、チケット譲渡管理システム１３は、ステップＳ２４における決済処理が完了後に、チケット管理システム１３２に保管されている電子チケットを第２の携帯端末１２に送信する。第２の携帯端末１２は、受信した電子チケット１５を自己の記憶装置に格納する。
【００２７】
ステップＳ２６において、チケット譲渡管理システム１３は、チケット希望者であって、実際に電子チケットの提供を受けた者による決済処理が行われた後、チケット提供者が登録した料金振込先にチケットの代金を、直接、又はチケット譲渡管理システム１３を介して振り込む。この際も、電子マネーによるやり取りも可能である。
【００２８】
譲渡契約が、期限を過ぎても成立しない場合は、チケット管理システム１３２が第１の携帯端末１１に対して、電子チケット１５を返却する。譲渡契約が成立する前に譲渡がキャンセルされた場合には、チケット提供者は返却要求を行い、チケット管理システム１３２に預けた電子チケット１５が返却される。
【００２９】
以上に説明したように、本実施の形態においては、電子チケットの供給者が、譲渡する電子チケットをチケット譲渡管理システムに預けておくことが可能なため、受給者は決済後すぐにチケットを受け取ることができる。
【００３０】
尚、チケット管理システム１３２は、第１の携帯端末１１又は第２の携帯端末１２から、電子チケットに関する仲介料金を受け取るようにしても良いし、或いは、登録性にして予め登録料を受け取っておいても良い。
【００３１】
これにより、電子チケットの供給者が、譲渡する電子チケットをチケット譲渡管理システムに預けることが可能なため、受給者は決済後すぐにチケットを受け取ることができるという利点がある。尚、本発明は、上記図２に記載のステップをコンピュータに実行させるためのプログラムとしても利用可能である。
【００３２】
次に、本発明の第２の実施の形態による電子チケット譲渡システムについて図面を参照しつつ説明を行う。本実施の形態によるシステムは、チケットの使用期限間際、例えば電子チケットを必要とするイベントの当日などに、携帯端末の位置情報を利用してチケット譲渡を行うものであり、以下に図３及び図４を参照してその詳細について説明する。
【００３３】
図３は本実施の形態による電子チケット譲渡システムの一構成例を示す機能ブロック図であり、図１に対応する構成に加え、第１の携帯端末３１及び第２の携帯端末３２は、それぞれ位置情報取得装置３１１及び位置情報取得装置３１２を備えている。位置情報取得装置３１１・３１２は、一般的なＧＰＳを利用したいわゆるＧＰＳ携帯を利用したものであってもよいし、その他のランドマークを利用したものであってもよい。或いは、それらを組み合わせたものであってもよく、手段を限定するものではない。また、チケット譲渡管理システム３３も、図１のチケット譲渡管理システム１３の機能に加え、位置情報管理システム３３４を備えている。位置情報管理システム３３４は、携帯端末３１１・３１２から送信される位置情報を登録・管理する機能を持つ。
【００３４】
図４は、本実施の形態による電子チケット譲渡システムを用いてチケット譲渡を行う場合の処理の流れを示すフローチャート図であり、特に、携帯端末の位置情報を利用して電子チケット譲渡を行う処理例について示した図である。実際に電子チケットの譲渡を行う場合の一例を図４に沿って以下に説明する。
【００３５】
まず、ステップＳ４１において、チケットの需給希望者となる可能性がある人は、チケット譲渡管理システム３３からチケットの譲渡案内情報を他の携帯端末に送信してよいかどうかなどの情報を予め登録しておく。登録する情報は、情報送信の可否のほか、送信許可する情報の種別（スポーツ、音楽など）、送信許可するイベント会場と携帯端末の位置との距離などである。登録後、第１の携帯端末３１は、位置情報取得装置３１１で取得した位置情報を、位置情報管理システム３３４に対して例えばリアルタイムに送信して登録する。
【００３６】
ステップＳ４２において、電子チケットを提供しようとしている供給者（第１の携帯端末３１を所持する利用者）は、第１の携帯端末３１からチケット譲渡管理システム３３にアクセスし、チケット譲渡を希望する旨を譲渡情報登録管理システム３３１に登録する。登録する情報は、譲渡するチケットの情報、譲渡希望金額、料金振込先情報、譲渡契約の成立期限などを含む。チケットの情報（イベント種別、使用日時など）は、電子チケット自体に含まれる情報から得られるのが一般的であり、その場合には、特に供給者が情報を入力する必要はない。
【００３７】
ステップＳ４３において、供給者は実際に譲渡を希望する電子チケット３５をチケット譲渡管理システム３３のチケット管理システム３３２に送信する。送信された電子チケット３５はチケット管理システム３３２内の記憶装置に格納される。送信後に、第１の携帯端末３１内の電子チケット３５は、自動的に破棄、あるいは無効化される。
【００３８】
ステップＳ４４において、チケット譲渡管理システム３３は、ステップＳ４２、ステップＳ４３で登録されたチケットの譲渡案内情報を、ステップＳ４１で登録されているチケット需給希望者のうち、実際にイベントが開催される会場付近にいる人に対して送信する。
【００３９】
本実施の形態では、実際に、電子チケット３５が譲渡されるのは、第２の携帯端末３２としているが、譲渡案内情報が送信されるのはこの携帯端末には限られず、ステップＳ４１で登録を行った他の携帯端末であって、登録した条件に合致する携帯端末が対象となる。ステップＳ４１において、送信許可するイベント会場と携帯端末の存在位置との距離が登録されている場合は、これに基づいて送信することも可能である。
【００４０】
例えば、第２の携帯端末３２では、スポーツ、映画のチケットの譲渡案内を会場までの距離が５ｋｍ以内となったときに受信するよう登録してあれば、競技場、映画館との距離がそれぞれ１０ｋｍ、２ｋｍの場合に、距離が近い（許容条件の範囲内である）映画のチケットの譲渡情報は受信するが、距離が遠く許容条件範囲外である競技場で行われるサッカーのチケットの譲渡情報は受信しない。
【００４１】
ステップＳ４５において、電子チケットの需給希望者は、受信した譲渡案内の中に希望する電子チケットの情報があり、かつ、譲渡の条件が希望に合致する場合に、チケット譲渡管理システム３３においてチケット譲受け予約処理を行う。ステップＳ４６において、受給者は、決済システム３３３において決済処理を行う。料金の回収は、クレジットカードを用いてもよいし、携帯電話事業者が代行する方法をとるなどの方法でもよい。ステップＳ４７において、チケット譲渡管理システムは、ステップＳ４６における決済処理が完了後、すぐに、チケット管理システムに補完されている電子チケットを携帯端末３２に送信する。携帯端末３２は、受信電子チケットを記憶装置に格納し、チケット使用が可能な状態となる。ステップＳ４８において、チケット譲渡管理システム３３は、ステップＳ４６における決済処理完了後、Ｓ４２において登録された供給者の料金振込先にチケットの代金を振り込む。このように、携帯端末の位置情報を利用した譲渡情報提供により、積極的な需要喚起と効率的な譲渡を行うことができるようになる。
【００４２】
尚、上記第１の携帯端末３１には、必ずしも位置情報取得装置は必要ではないが、第１の携帯端末３１が電子チケット希望者側になった場合には必要となる。
【産業上の利用可能性】
【００４３】
本発明は、携帯端末を利用した新たな電子チケット譲渡システムとして利用可能である。
【図面の簡単な説明】
【００４４】
【図１】本発明の第１の実施の形態による電子チケット譲渡システムの構成例を示す機能ブロック図である。
【図２】本発明の第１の実施の形態電子チケット譲渡システムを用いてチケット譲渡を行う処理の流れを示すフローチャート図である。
【図３】本発明の第２の実施の形態による電子チケット譲渡システムの一構成例を示す機能ブロック図である。
【図４】本実施の形態による電子チケット譲渡システムを用いてチケット譲渡を行う場合の処理の流れを示すフローチャート図である。
【符号の説明】
【００４５】
11  携帯端末
12  携帯端末
13  チケット譲渡管理システム
131 譲渡情報登録管理システム
132 チケット管理システム
133 決済システム
14  通信ネットワーク
15  電子チケット
31  携帯端末
311 位置情報取得装置
32  携帯端末
321 位置情報取得装置
33  チケット譲渡管理システム
331 譲渡情報登録管理システム
332 チケット管理システム
333 決済システム
334 位置情報管理システム
34  通信ネットワーク
35  電子チケット
【図１】
2006318340.tif 000003
【図２】
2006318340.tif 000004
【図３】
2006318340.tif 000005
【図４】
2006318340.tif 000006
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
通信ネットワークに接続され、電子チケットの譲渡情報を登録しておく譲渡情報登録管理システムと、電子チケットの授受に関する管理を行うチケット管理システムと、決済システムと、を有し、電子チケットの授受を仲介する電子チケット譲渡管理システムと；該電子チケット譲渡管理システムと通信ネットワークを介してアクセスする機能を有し、前記電子チケットを格納し、読み出し及び書き込みが可能な記憶部をそれぞれが有する電子チケット供給者側携帯端末及び電子チケット受け取り希望者側携帯端末と；から構成される電子チケット譲渡システムであって、
前記電子チケット供給者側携帯端末がその記憶部に格納している電子チケットの中で譲渡が希望された電子チケットの種別、内容又は譲渡に関する条件を含む情報を前記電子チケット譲渡管理システムにアクセスして前記譲渡情報登録管理システムに登録し、次いで、実際に譲渡対象となる電子チケットを前記チケット管理システムに送信し、
前記電子チケット受け取り希望者側携帯端末から前記電子チケット譲渡管理システムへのアクセスにより前記譲渡情報登録管理システムに希望する電子チケットが登録されているか否かの確認に応じて、希望する電子チケットが前記譲渡情報登録管理システムに登録されており、かつ、譲渡に関する条件が登録されている条件と合致するか否かを判定し、希望する電子チケットが前記譲渡情報登録管理システムに登録されており、かつ、譲渡に関する条件が登録されている条件と合致していると判定された場合には、前記決済システムにおいて決済が行われ決済が完了した後に前記チケット管理システムに保管されている電子チケットを前記電子チケット受け取り希望者側携帯端末に送信して電子チケットを授受する電子チケット譲渡システムにおいて、
前記電子チケット受け取り希望者側携帯端末が前記電子チケット譲渡情報登録管理システムにアクセス可能になった時から電子チケットの引渡しが完了するまでの間、前記電子チケット管理システムにより前記電子チケットが格納されていることを特徴とする電子チケット譲渡システム。
【請求項２】
通信ネットワークに接続され、電子チケットの譲渡情報を登録しておく譲渡情報登録管理システムと、電子チケットの授受に関する管理を行うチケット管理システムと、決済システムと、を有し、電子チケットの授受を仲介する電子チケット譲渡管理システムと；該電子チケット譲渡管理システムと通信ネットワークを介してアクセスする機能を有し、前記電子チケットを格納し、読み出し及び書き込みが可能な記憶部をそれぞれが有し、電子チケット供給者側携帯端末及び電子チケット受け取り希望者側携帯端末と；から構成される電子チケット譲渡システムであって、
前記電子チケット供給者側携帯端末が前記電子チケット譲渡管理システムにアクセスして前記記憶部に格納されている電子チケットの中で譲渡希望のあった電子チケットの種別、内容又は譲渡に関する条件を含む情報を前記譲渡情報登録管理システムに登録し、次いで、実際に譲渡対象となる電子チケットを前記チケット管理システムに送信し、
前記電子チケット受け取り希望者側携帯端末から前記電子チケット譲渡管理システムへのアクセスに応じて前記譲渡情報登録管理システムに希望する電子チケットが登録されているか否かが確認され、希望する電子チケットが前記譲渡情報登録管理システムに登録されており、かつ、譲渡に関する条件が登録されている条件と合致するか否かを判定し、希望する電子チケットが前記譲渡情報登録管理システムに登録されており、かつ、譲渡に関する条件が登録されている条件と合致している場合に、前記決済システムにおいて決済が行われ決済が完了した後に前記チケット管理システムに保管されている電子チケットを前記電子チケット受け取り希望者側携帯端末に送信することにより電子チケットを授受する電子チケット譲渡システムにおいて、
前記電子チケット受け取り希望者側携帯端末により前記電子チケット譲渡情報登録管理システムにアクセス可能になった時から前記電子チケット供給者側携帯端末が前記電子チケットの譲渡を取りやめる手続きをするまでの間、前記チケット管理システムにより前記電子チケットが格納されることを特徴とする電子チケット譲渡システム。
【請求項３】
前記電子チケット管理システムは、保管されている電子チケットを、決済処理が完了した後に前記電子チケット受け取り希望者側携帯端末に送信し、譲渡契約が期限を過ぎても成立しない場合又は譲渡契約が成立する前に譲渡がキャンセルされた場合には、前記電子チケット供給者側携帯端末に対して電子チケットを返却することを特徴とする請求項１又は２に記載の電子チケット譲渡システム。
【請求項４】
さらに、前記電子チケットに関する決済を行う決済部を有することを特徴とする請求項１から３までのいずれか１項に記載の電子チケット譲渡システム。
【請求項５】
前記譲渡情報登録管理システムは、前記電子チケット受け取り希望者側携帯端末から送られた電子チケットの譲渡条件として、少なくとも、譲渡する電子チケットの情報、譲渡価格、料金振込先、譲渡期限のいずれかを管理することを特徴とする請求項１から４までのいずれか１項に記載の電子チケット譲渡システム。
【請求項６】
前記電子チケット譲渡管理システムは、
電子チケット供給者側携帯端末から送られた前記電子チケットの譲渡条件を登録する電子チケット譲渡情報登録管理システムと、
電子チケット供給者側携帯端末から送られた前記電子チケットの管理を行う電子チケット管理システムと、
携帯端末の位置情報を管理する位置情報管理システムと
を有することを特徴とする請求項１から５までのいずれか１項に記載の電子チケット譲渡システム。
【請求項７】
前記位置情報管理システムは、前記電子チケット譲渡管理システムとネットワーク経由で接続された前記携帯端末の現在の位置情報を取得する位置情報取得部を有することを特徴とする請求項６に記載の電子チケット譲渡システム。
【請求項８】
前記位置情報取得部により取得された電子チケット受け取り希望者側携帯端末の位置情報に基づいて、前記電子チケットに関連するイベントに近接する前記電子チケット受け取り希望者側携帯端末に対して優先的に前記電子チケットに関連する情報を送信することを特徴とする請求項７に記載の電子チケット譲渡システム。